【手続補正書】
【提出日】平成15年8月20日(2003.8.20)
【手続補正１】
【補正対象書類名】明細書
【補正対象項目名】特許請求の範囲
【補正方法】変更
【補正の内容】
【特許請求の範囲】
【請求項１】
複数の原稿を読み込み、所定のレイアウトを行い出力画像を形成する画像形成装置において、
読み込んだ複数の原稿の向きを判定する判定手段と、
前記判定手段での判定結果に応じて出力画像をレイアウトするように制御する制御手段とを備えることを特徴とする画像形成装置。
【請求項２】
読み込んだ複数の原稿の向きと書式をマニュアルで指定する指定手段を更に備え、
前記指定手段で原稿の向きと書式が指定された場合、当該指定内容に基づいて出力画像をレイアウトすることを特徴とする請求項１記載の画像形成装置。
【請求項３】
前記判定手段は、原稿の向きと書式を判定することを特徴とする請求項１記載の画像形成装置。
【請求項４】
前記レイアウトは、複数の画像を１つのシートに配置するものであることを特徴とする請求項１記載の画像形成装置。
【請求項５】
前記制御手段は、連続する原稿の中で判定結果の異なる原稿がある場合、別ページにレイアウトするように制御することを特徴とする請求項１記載の画像形成装置。
【請求項６】
原稿の余白を検知する検知手段を更に備え、
前記制御手段は、前記検知手段での検知結果に基づいて出力画像の余白を制御することを特徴とする請求項１記載の画像形成装置。
【請求項７】
前記制御手段は、出力画像の余白部分を省くように制御することを特徴とする請求項６記載の画像形成装置。
【請求項８】
前記制御手段は、出力画像の余白を一定に揃えるように制御することを特徴とする請求項７記載の画像形成装置。
【請求項９】
前記制御手段は、読み込んだ原稿がレイアウトされた原稿の場合、前記判定結果に応じて出力画像を再レイアウトするように制御することを特徴とする請求項１記載の画像形成装置。
【請求項１０】
画像データを圧縮する圧縮手段と、圧縮された画像データを伸張する伸張手段と、前記圧縮手段により圧縮された画像データを記憶する記憶手段とを更に備えることを特徴とする請求項１記載の画像形成装置。
【請求項１１】
前記判定手段での判定結果を記憶する第２の記憶手段を更に備え、
前記判定結果は画像データと対応付けて記憶されることを特徴とする請求項１０記載の画像形成装置。
【請求項１２】
複数の原稿を読み込み、所定のレイアウトを行い出力画像を形成する画像形成方法において、
読み込んだ複数の原稿の向きを判定する判定工程と、
前記判定工程での判定結果に応じて出力画像をレイアウトするように制御する制御工程とを有することを特徴とする画像形成方法。
【請求項１３】
複数ページ分の原稿データを１枚のシートの同一面上にレイアウトするための画像形成方法において、
同一種類の複数ページの原稿データ同士を１枚のシートの同一面上にレイアウトできるようにし、異なる種類の原稿データ同士が１枚のシートの同一面上でレイアウトされないよう制御することを特徴とする画像形成方法。
【請求項１４】
異なる種類の原稿データ同士の間でページを更新することで、異なる種類の原稿データ同士が１枚のシートの同一面上でレイアウトされないよう制御することを特徴とする請求項１３記載の画像形成方法。
【請求項１５】
異なる種類の複数ページ分の原稿データを各種類毎にそれぞれ違うシートにレイアウトすることで、異なる種類の原稿データ同士が１枚のシートの同一面上でレイアウトされないよう制御することを特徴とする請求項１３又は１４に記載の画像形成方法。
【請求項１６】
異なる種類の原稿データは向きが異なる原稿データであることを特徴とする請求項１３乃至１５の何れかに記載の画像形成方法。
【請求項１７】
異なる種類の原稿データは縦書きの原稿データと横書きの原稿データであることを特徴とする請求項１３乃至１６の何れかに記載の画像形成方法。
【請求項１８】
上向き横書き原稿データと左向き横書き原稿データを有する複数ページ分の原稿データを処理する場合に、上向き横書き原稿データと左向き横書き原稿データとが同じシートの同一面上でレイアウトされないよう制御することを特徴とする請求項１３乃至１７の何れかに記載の画像形成方法。
【請求項１９】
上向き横書き原稿データ同士を同じシートの同一面上にレイアウトし、左向き横書き原稿データ同士を別のシートの同一面上にレイアウトすることで、上向き横書き原稿データと左向き横書き原稿データとが同じシートの同一面上でレイアウトされないよう制御することを特徴とする請求項１８に記載の画像形成方法。
【請求項２０】
上向き横書き原稿データと左向き横書き原稿データとの間でページを更新することで、上向き横書き原稿データ同士を同じシートの同一面上にレイアウトし、左向き横書き原稿データ同士を別のシートの同一面上にレイアウトするよう制御することを特徴とする請求項１９に記載の画像形成方法。
【請求項２１】
複数ページ分の原稿データを１枚のシートの同一面上にレイアウトするための画像形成方法において、
１枚のシートの同一面上に４ページ分の原稿データがレイアウトされた原稿データから１枚のシートの同一面上に９ページ分の原稿データがレイアウトされたデータを生成することを特徴とする画像形成方法。
【請求項２２】
１枚のシートの同一面上に４ページ分の原稿データが既にレイアウトされた複数の原稿データを順次取り込んで、１枚のシートの同一面上に９ページ分の原稿データがレイアウトされた出力データに再レイアウトするよう制御することを特徴とする請求項２１記載の画像形成方法。
【請求項２３】
１枚のシートの同一面上に４ページ分の原稿データがレイアウトされた原稿データの空白ブロックを詰めて１枚のシートの同一面上に９ページ分の原稿データをレイアウトするよう制御することを特徴とする請求項２１又は２２に記載の画像形成方法。
【請求項２４】
複数ページ分の原稿データを１枚のシートの同一面上にレイアウトするための画像形成方法において、
原稿に余白部分がある原稿データの余白を詰めて１枚のシートの同一面上に複数ページ分の原稿データをレイアウトするよう制御することを特徴とする画像形成方法。
【請求項２５】
複数ページ分の原稿データを１枚のシートの同一面上にレイアウトするための画像形成方法において、
余白部分が不揃いな複数の原稿データの余白を一定に揃えて１枚のシートの同一面上に複数ページ分の原稿データをレイアウトするよう制御することを特徴とする画像形成方法。
【請求項２６】
原稿データの向きを操作部から操作者により指定可能にし、操作者により原稿データの向きが指定された場合に、操作者により指定された向きの原稿データとして原稿データを処理するよう制御することを特徴とする請求項１３乃至２５の何れかに記載の画像形成方法。
【請求項２７】
原稿データの向きを原稿向き検知部により判定させるか否かを操作部から操作者により選択可能とし、原稿データの向きを原稿向き検知部により判定させる場合、原稿向き検知部によって判定された向きの原稿データとして原稿データを処理するよう制御することを特徴とする請求項１３乃至２６の何れかに記載の画像形成方法。
【請求項２８】
原稿データの文字配列が縦書き原稿であるか横書き原稿であるかを操作部から操作者により指定可能にし、操作者により文字配列が指定された場合に、操作者により指定された文字配列の原稿データとして原稿データを処理するよう制御することを特徴とする請求項１３乃至２７の何れかに記載の画像形成方法。
【請求項２９】
原稿データの文字配列を原稿向き検知部により判定させるか否かを操作部から操作者により選択可能とし、原稿データの文字配列を原稿向き検知部により判定させる場合、原稿向き検知部によって判定された文字配列の原稿データとして原稿データを処理するよう制御することを特徴とする請求項１３乃至２８の何れかに記載の画像形成方法。
【請求項３０】
複数ページ分のデータを記憶可能な記憶手段に複数の原稿データを格納可能とし、且つ、各原稿データ毎に、原稿データの向きを特定する情報と原稿データの文字配列を特定する情報とを対応付けて保持するよう制御することを特徴とする請求項１３乃至２９の何れかに記載の画像形成方法。
【請求項３１】
原稿データはハードディスクに格納し、原稿データの向きを特定する情報と原稿データの文字配列を特定する情報はＴＡＧメモリに格納し、ハードディスクに保持された原稿データと、ＴＡＧメモリに保持された原稿データの向きを特定する情報と原稿データの文字配列を特定する情報とを１対1で対応付けて保持するよう制御することを特徴とする請求項１３乃至３０の何れかに記載の画像形成方法。
【請求項３２】
前記画像形成方法は、ホストコンピュータ及びインタフェース機器及びリーダ及びプリンタを含む複数の機器の少なくとも何れかの機器を有すシステム或いは装置において適用可能であることを特徴とする請求項１３乃至３１の何れかに記載の画像形成方法。
【請求項３３】
複数ページ分の原稿データを１枚のシートの同一面上にレイアウト可能な画像形成装置において、
同一種類の複数ページの原稿データ同士を１枚のシートの同一面上にレイアウトできるようにし、異なる種類の原稿データ同士が１枚のシートの同一面上でレイアウトされないよう制御することを特徴とする画像形成装置。
【請求項３４】
複数ページ分の原稿データを１枚のシートの同一面上にレイアウト可能な画像形成装置において、
１枚のシートの同一面上に４ページ分の原稿データがレイアウトされた原稿データから１枚のシートの同一面上に９ページ分の原稿データがレイアウトされたデータを生成することを特徴とする画像形成装置。
【請求項３５】
複数ページ分の原稿データを１枚のシートの同一面上にレイアウト可能な画像形成装置において、
原稿に余白部分がある原稿データの余白を詰めて１枚のシートの同一面上に複数ページ分の原稿データをレイアウトするよう制御することを特徴とする画像形成装置。
【請求項３６】
複数ページ分の原稿データを１枚のシートの同一面上にレイアウト可能な画像形成装置において、
余白部分が不揃いな複数の原稿データの余白を一定に揃えて１枚のシートの同一面上に複数ページ分の原稿データをレイアウトするよう制御することを特徴とする画像形成装置。